(57)【要約】【課題】結像光学系の光学性能に影響を与えることなく解像力を確保できる光学的ローパスフィルタ、及び、この光学的ローパスフィルタを有する撮像装置を提供する。【解決手段】正の屈折力を有する第１レンズ（ＤＲ）と、負の屈折力を有する第２レンズ（ＰＬ）とを有し、第１レンズは、複屈折材料から成ることを特徴とする光学的ローパスフィルタ。【選択図】図１
2012163675.tif 000002
【特許請求の範囲】
【請求項１】
正の屈折力を有する第１レンズと、
負の屈折力を有する第２レンズとを有し、
前記第１レンズは、複屈折材料から成ることを特徴とする光学的ローパスフィルタ。
【請求項２】
請求項１に記載の光学的ローパスフィルタにおいて、
前記第１レンズと前記第２レンズとが接合されていることを特徴とする光学的ローパスフィルタ。
【請求項３】
請求項１または２に記載の光学的ローパスフィルタにおいて、
以下の条件式を満足することを特徴とする光学的ローパスフィルタ。
−１．５＜ΨＧ／ΨＬ＜−０．９
但し、
ΨＬ：前記第１レンズの屈折力
ΨＧ：前記第２レンズの屈折力
【請求項４】
請求項１から３のいずれか一項に記載の光学的ローパスフィルタにおいて、
以下の条件式を満足することを特徴とする光学的ローパスフィルタ。
０．９＜ＮＧ／ＮＬ＜１．２
但し、
ＮＬ：前記第１レンズの屈折率
ＮＧ：前記第２レンズの屈折率
【請求項５】
請求項１から４のいずれか一項に記載の光学的ローパスフィルタにおいて、
以下の条件式を満足することを特徴とする光学的ローパスフィルタ。
Ｄｈ／Ｄ０＜１．０
但し、
Ｄ０：前記第１レンズの中心厚
Ｄｈ：前記第１レンズの周辺厚
【請求項６】
請求項１〜５のいずれか一項に記載の光学的ローパスフィルタを有することを特徴とする撮像装置。
【発明の詳細な説明】
【技術分野】
【０００１】
本発明は、光学的ローパスフィルタ、及び、この光学的ローパスフィルタを有する撮像装置に関する。
【背景技術】
【０００２】
従来、画面全体にわたって解像力の低下を起こすことなく、モアレや偽色等のノイズを的確に軽減乃至は除去するために、結像光学系と電子撮像素子との間に配置された正のパワーを有する光学的ローパスフィルタが知られている（例えば、特許文献１参照）。
【先行技術文献】
【特許文献】
【０００３】
【特許文献１】特開２００８−０７６６９１号公報
【発明の概要】
【発明が解決しようとする課題】
【０００４】
しかし、従来の光学的ローパスフィルタは正のパワーを有するため、光学的ローパスフィルタが結像光学系の光学性能に影響を与えてしまうという問題があった。特に、レンズ交換式のカメラに従来の光学的ローパスフィルタを採用すると、光学的ローパスフィルタの屈折力が交換レンズの性能に影響を与えてしまう。
【０００５】
そこで本発明は、結像光学系の光学性能に影響を与えることなく解像力を確保できる光学的ローパスフィルタ、及び、この光学的ローパスフィルタを有する撮像装置を提供することを目的とする。
【課題を解決するための手段】
【０００６】
前記課題を解決するために、本発明に係る光学的ローパスフィルタは、正の屈折力を有する第１レンズと、負の屈折力を有する第２レンズとを有し、第１レンズは、複屈折材料から成ることを特徴とする。
【０００７】
このような光学的ローパスフィルタにおいて、第１レンズと第２レンズとが接合されていることが好ましい。
【０００８】
また、このような光学的ローパスフィルタにおいて、以下の条件式を満足することが好ましい。
−１．５＜ΨＧ／ΨＬ＜−０．９
但し、
ΨＬ：前記第１レンズの屈折力
ΨＧ：前記第２レンズの屈折力
【０００９】
また、このような光学的ローパスフィルタにおいて、以下の条件式を満足することが好ましい。
０．９＜ＮＧ／ＮＬ＜１．２
但し、
ＮＬ：前記第１レンズの屈折率
ＮＧ：前記第２レンズの屈折率
【００１０】
また、このような光学的ローパスフィルタにおいて、以下の条件式を満足することが好ましい。
Ｄｈ／Ｄ０＜１．０
但し、
Ｄ０：前記第１レンズの中心厚
Ｄｈ：前記第１レンズの周辺厚
【００１１】
また、本発明に係る撮像装置は、上述の光学的ローパスフィルタのいずれかを有することを特徴とする。
【発明の効果】
【００１２】
本発明に係る光学的ローパスフィルタ及びこの光学的ローパスフィルタを有する撮像装置を以上のように構成すると、結像光学系の光学性能に影響を与えることなく画面周辺部における解像力を高めることができる。
【図面の簡単な説明】
【００１３】
【図１】光学的ローパスフィルタを有する撮像装置を説明するための説明図である。
【図２】２点分離の光学的ローパスフィルタの構成を説明するための説明図である。
【図３】４点分離の光学的ローパスフィルタの構成を説明するための説明図である。
【図４】撮影光学系の構成を説明するための説明図である。
【図５】２点分離の光学的ローパスフィルタを用いた場合のスポットダイアグラムであって、（ａ）第１実施例を示し、（ｂ）は第２実施例を示し、（ｃ）は従来の光学的ローパスフィルタを示す。
【図６】２点分離の光学的ローパスフィルタのＭＴＦを示すグラフであって、（ａ）は第１実施例を示し、（ｂ）は第２実施例を示し、（ｃ）は従来の光学的ローパスフィルタを示す。
【図７】４点分離の光学的ローパスフィルタを用いた場合のスポットダイアグラムであって、（ａ）は第８実施例を示し、（ｂ）は第９実施例を示し、（ｃ）は従来の光学的ローパスフィルタを示す。
【図８】４点分離の光学的ローパスフィルタのＭＴＦを示すグラフであって、（ａ）は第８実施例を示し、（ｂ）は第９実施例を示し、（ｃ）は従来の光学的ローパスフィルタを示す。
【発明を実施するための形態】
【００１４】
以下、本発明の好ましい実施形態について図面を参照して説明する。図１に示すように、デジタルスチルカメラやビデオカメラ等の撮像装置１００では、撮影レンズＳＬ等からなる撮影光学系により像面Ｉに結像された被写体の像をＣＣＤ等の撮像素子Ｃを用いて撮影を行う。この撮像素子Ｃは受光画素が規則的に配列されているので、受光画素の配列パターンと被写体像のパターンとにより、モアレ縞や偽色等のノイズが発生する場合がある。このような現象を低減させるために、撮影レンズＳＬと撮像素子Ｃとの間（撮像素子Ｃの前面）に配置される光学的ローパスフィルタＦＬが用いられる。この光学的ローパスフィルタＦＬは、複屈折材料から成る複屈折部材（以下、「複屈折板」と呼ぶ）を有し、この複屈折板による光の複屈折を利用して入射光線を常光線及び異常光線（直線偏光）に分離することにより、ある程度以上の細かさの模様をぼかすことで撮像素子Ｃで発生する上記ノイズを低減させるものである。
【００１５】
このような光学的ローパスフィルタＦＬを撮像装置１００に搭載することにより、撮像素子Ｃで受光される被写体光のうち、撮像素子Ｃの画素ピッチを波長とする空間周波数成分が除去されるため、ノイズが低減される。しかしながら、その反面、高周波成分の解像力も劣化してしまう。このような撮像素子Ｃによるノイズの影響は、撮影レンズＳＬの解像力が高いセンタ付近（光軸付近）で大きく、画面周辺部では低減される。
【００１６】
ここで、複屈折板に入射した光線が常光線及び異常光線に分離して出射したときの常光線と異常光線との分離幅は、光線が通過した複屈折板の距離（厚さ）に比例する。すなわち、光学的ローパスフィルタＦＬを構成する複屈折板が厚いほど分離幅は大きくなり、薄いほど小さくなる。
【００１７】
本実施形態に示す光学的ローパスフィルタＦＬでは、複屈折板の周辺部の厚さが中心部よりも薄い。すなわち、複屈折板が正の屈折力を有している。これにより、画面周辺部における複屈折板の効果を小さくできる。したがって、画面周辺部での高周波数成分の解像力の劣化を招かずに、センタのノイズを低減するように構成されている。
【００１８】
また、本実施形態の光学的ローパスフィルタＦＬは、負の屈折力を有するレンズを有しているので、複屈折板による正のパワーを低減して光学的ローパスフィルタＦＬの屈折力が撮影光学系（撮影レンズＳＬ）の光学性能に与える影響を抑えることができる。すなわち、本実施形態の光学的ローパスフィルタＦＬは、正の屈折力を有し、複屈折材料から成る第１レンズと、負の屈折力を有する第２レンズと、を有している。
【００１９】
具体的な構成として、まず、図２を用いて２点分離の光学的ローパスフィルタについて説明する。この２点分離の光学的ローパスフィルタＦＬ２は、１枚の複屈折板ＤＲを有して構成され、この複屈折板ＤＲは、光軸方向の厚さが、センタ（中心部）に比べて周辺部が薄くなるように形成されている。図２（ａ）は、物体側から順に、像面側に凹面を向けた平凹レンズ形状の光学ガラスＰＬと、この光学ガラスＰＬの像面側に接合された平凸レンズ形状の複屈折板ＤＲとから構成されている。このように、複屈折板ＤＲを凸レンズ状に形成すると、光軸部分を中心に周辺部に行くに従って薄くなるため、センタでの光線の分離幅を大きくし、周辺部に行くに従って分離幅を小さくすることができる。そのため、複屈折板ＤＲの凸面の曲率及び中心厚を調整することにより、センタと画面周辺部における光線の分離幅を調整することができる。また、このように光学ガラスＰＬと複屈折板ＤＲとを接合することにより、迷光の発生を抑えることができる。
【００２０】
なお、本実施形態に係る２点分離の光学的ローパスフィルタＦＬ２は、上記構成に限定されず、例えば、図２（ｂ）に示すように、物体側から順に、負のパワーを有する両凹レンズ形状の光学ガラスＰＬと、この光学ガラスＰＬの像面側に接合された平凸レンズ形状の複屈折板ＤＲとで構成してもよい。
【００２１】
また、図２（ｃ）に示すように、物体側から順に、物体側に凸面を向けた負のパワーを有するメニスカスレンズ形状の光学ガラスＰＬと、この光学ガラスＰＬの像面側に接合された平凸レンズ形状の複屈折板ＤＲとで構成してもよい。
【００２２】
また、図２（ｄ）に示すように、物体側から順に、物体側に凸面を向けた平凸レンズ形状の複屈折板ＤＲと、この複屈折板ＤＲの像面側に接合された平凹レンズ形状の光学ガラスＰＬとで構成してもよい。
【００２３】
また、図２（ｅ）に示すように、物体側から順に、像側に凹面を向けた平凹レンズ形状の光学ガラスＰＬａと、物体側に凸面を向けた平凸レンズ形状の複屈折板ＤＲと、平板状の光学ガラスＰＬｂとを接合した構成としてもよい。このような構成としても、２枚の光学ガラスＰＬａ，ＰＬｂの間に複屈折板ＤＲが形成されるため、製造が容易になるとともに、撮像装置１００への取付けも容易になり、さらに、複屈折板ＤＲが２枚の光学ガラスＰＬａ，ＰＬｂで挟まれて保護されているため、取り扱いが容易になる。また、接合することにより迷光の発生を抑えることができる。
【００２４】
また、図２（ｆ）に示すように、物体側から順に、物体側に凹面を向けた平凹レンズ形状の光学ガラスＰＬと、この光学ガラスＰＬの像面側に接合された平凸レンズ形状の複屈折板ＤＲとで構成してもよい。
【００２５】
また、図２（ｇ）に示すように、物体側から順に、物体側に平面を向けた平凹レンズ形状の光学ガラスＰＬａと、物体側に凸面を向けた平凸レンズ形状の複屈折板ＤＲと、この複屈折板ＤＲの像面側に接合された平板状の光学ガラスＰＬｂとで構成してもよい。
【００２６】
また、図２（ｈ）に示すように、物体側から順に、物体側に平面を向けた平凸レンズ形状の複屈折板ＤＲと、物体側に凹面を向けた平凹レンズ形状の光学ガラスＰＬとで構成してもよい。
【００２７】
また、上述したように、撮像素子Ｃによるノイズの影響は、撮影レンズＳＬの解像力が高いセンタ付近（光軸付近）で大きく発生するため、図２（ｉ）に示すように、通過する光束よりも径の小さい平凸レンズ形状の複屈折板ＤＲを光軸上に配置することにより、撮像素子Ｃによりセンタ付近に発生するノイズの影響だけを除去するように構成しても良い。
【００２８】
例えば、図２（ｉ）に示すように、物体側から順に、像面側の面の中心部に球面状の凹部を形成した光学ガラスＰＬと、この凹部を埋めるように接合した複屈折板ＤＲとで構成してもよい。
【００２９】
また、図２（ｊ）に示すように、物体側から順に、像面側の面の中心部に球面状の凹部を形成した光学ガラスＰＬと、この光学ガラスＰＬの像面側に接合され像面側の面が平面形状の複屈折板ＤＲとで構成してもよい。
【００３０】
次に、図３を用いて４点分離の光学的ローパスフィルタＦＬ４について説明する。この４点分離の光学的ローパスフィルタＦＬ４は、物体側から順に、第１複屈折板ＤＲ１と、１／４波長板ＲＬと、第２複屈折板ＤＲ２と、を有して構成され、この第１及び第２複屈折板ＤＲ１，ＤＲ２は、光軸方向の厚さが、センタに比べて周辺部が薄くなるように（若しくはセンタを含む一部の領域にだけ）構成されている。このような構成の光学的ローパスフィルタＦＬ４によると、第１複屈折板ＤＲ１に入射した光線は常光線及び異常光線（直線光線）に分離され、それぞれの光線は１／４波長板ＲＬで振動方向に位相差が生じて円偏光になり、第２複屈折板ＤＲ２でそれぞれの光線が常光線及び異常光線に分離される。そのため、この光学的ローパスフィルタＦＬ４に入射した光線は４つの光線に分離されて出射されることになる。
【００３１】
図３（ａ）は、物体側から順に、物体側に凹面を向けた平凹レンズ形状の光学ガラスＰＬａと、物体側に凸面を向けた平凸レンズ形状の第１複屈折板ＤＲ１と、平板状の光学ガラスＰＬｂと、平板状の１／４波長板ＲＬと、物体側に凹面を向けた平凹レンズ形状の光学ガラスＰＬｃと、物体側に凸面を向けた平凸レンズ形状の第２複屈折板ＤＲ２と、平板状の光学ガラスＰＬｄとが接合されて光学的ローパスフィルタＦＬ４を構成している。
【００３２】
なお、本実施形態に係る４点分離の光学的ローパスフィルタＦＬ４は、上記構成に限定されない。
【００３３】
例えば、図３（ｂ）に示すように、物体側から順に、平板状の光学ガラスＰＬａと、像面側に凸面を向けた平凸レンズ形状の第１複屈折板ＤＲ１と、物体側に凹面を向けた平凹レンズ形状の光学ガラスＰＬｂと、平板状の１／４波長板ＲＬと、平板状の光学ガラスＰＬｃと、像面側に凸面を向けた平凸レンズ形状の第２複屈折板ＤＲ２と、物体側に凹面を向けた平凹レンズ形状の光学ガラスＰＬｄとを接合して構成してもよい。
【００３４】
また、図３（ｃ）に示すように、物体側から順に、平板状の光学ガラスＰＬａと、像面側に凸面を向けた平凸レンズ形状の第１複屈折板ＤＲ１と、物体側に凹面を向けた平凹レンズ形状の光学ガラスＰＬｂと、平板状の１／４波長板ＲＬと、像面側に凹面を向けた平凹レンズ形状の光学ガラスＰＬｃと、物体側に凸面を向けた平凸レンズ形状の第２複屈折板ＤＲ２と、平板状の光学ガラスＰＬｄとを接合して構成してもよい。
【００３５】
また、図３（ｄ）に示すように、物体側から順に、像面側に凹面を向けた平凹レンズ形状の光学ガラスＰＬａと、物体側に凸面を向けた平凸レンズ形状の第１複屈折板ＤＲ１と、平板状の光学ガラスＰＬｂと、平板状の１／４波長板ＲＬと、平板状の光学ガラスＰＬｃと、像面側に凸面を向けた平凸レンズ形状の第２複屈折板ＤＲ２と、物体側に凹面を向けた平凹レンズ形状の光学ガラスＰＬｄとを接合して構成してもよい。
【００３６】
また、図３（ｅ）に示すように、像面側に凹面を向けた平凹レンズ形状の光学ガラスＰＬａと、物体側に凸面を向けた平凸レンズ形状の第１複屈折板ＤＲ１と、平板状の１／４波長板ＲＬと、像面側に凹面を向けた平凹レンズ形状の光学ガラスＰＬｂと、物体側に凸面を向けた平凸レンズ形状の第２複屈折板ＤＲ２と、平板状の光学ガラスＰＬｃとを接合して構成してもよい。
【００３７】
また、図３（ｆ）に示すように、物体側から順に、像面側に凹面を向けた平凹レンズ形状の光学ガラスＰＬａと、この光学ガラスＰＬａの像面側に接合された平凸レンズ形状の第１複屈折板ＤＲ１と、この複屈折板ＤＲ１の像面側に接合された平板状の光学ガラスＰＬｂと、平板状の１／４波長板ＲＬと、像面側に凹面を向けた平凹レンズ形状の光学ガラスＰＬｃと、この光学ガラスＰＬｃの像面側に接合された平凸レンズ形状の第２複屈折板ＤＲ２と、この複屈折板ＤＲ２の像面側に接合された平板状の光学ガラスＰＬｄとで構成してもよい。
【００３８】
また、図３（ｇ）に示すように、物体側から順に、平板状の光学ガラスＰＬａと、この光学ガラスＰＬａの像面側に接合された平凸レンズ形状の第１複屈折板ＤＲ１と、この複屈折板ＤＲ１の像面側に接合された平凹レンズ形状の光学ガラスＰＬｂと、平板状の１／４波長板ＲＬと、平板状の光学ガラスＰＬｃと、この光学ガラスＰＬｃの像面側に接合された平凸レンズ形状の第２複屈折板ＤＲ２と、この複屈折板ＤＲ２の像面側に接合された平凹レンズ形状の光学ガラスＰＬｄとで構成してもよい。
【００３９】
また、図３（ｈ）に示すように、物体側から順に、平板状の光学ガラスＰＬａと、この光学ガラスＰＬａの像面側に接合された平凸レンズ形状の複屈折板ＤＲ１と、この第１複屈折板ＤＲ１の像面側に接合された平凹レンズ形状の光学ガラスＰＬｂと、平板状の１／４波長板ＲＬと、像面側に凹面を向けた平凹レンズ形状の光学ガラスＰＬｃと、この光学ガラスＰＬｃの像面側に接合された平凸レンズ形状の第２複屈折板ＤＲ２と、この複屈折板ＤＲ２の像面側に接合された平板状の光学ガラスＰＬｄとで構成してもよい。
【００４０】
また、図３（ｉ）に示すように、物体側から順に、像面側に凹面を向けた平凹レンズ形状の光学ガラスＰＬａと、この光学ガラスＰＬａの像面側に接合された平凸レンズ形状の第１複屈折板ＤＲ１と、この複屈折板ＤＲ１の像面側に接合された平板状の光学ガラスＰＬｂと、平板状の１／４波長板ＲＬと、平板状の光学ガラスＰＬｃと、この光学ガラスＰＬｃの像面側に接合された平凸レンズ形状の第２複屈折板ＤＲ２と、この複屈折板ＤＲ２の像面側に接合された平凹レンズ形状の光学ガラスＰＬｄとで構成してもよい。
【００４１】
また、図３（ｊ）に示すように、物体側から順に、物体側に凸面を向けた平凸レンズ形状の第１複屈折板ＤＲ１と、この複屈折板ＤＲ１の像面側に接合された平凹レンズ形状の光学ガラスＰＬａと、平板状の１／４波長板ＲＬと、物体側に凸面を向けた平凸レンズ形状の複屈折板ＤＲ２と、この第２複屈折板ＤＲ２の像面側に接合された平凹レンズ形状の光学ガラスＰＬｂとで構成してもよい。
【００４２】
また、図３（ｋ）に示すように、物体側から順に、物体側に凸面を向けた平凸レンズ形状の第１複屈折板ＤＲ１と、この複屈折板ＤＲ１の像面側に接合された平凹レンズ形状の光学ガラスＰＬａと、平板状の１／４波長板ＲＬと、物体側に凹面を向けた平凹レンズ形状の光学ガラスＰＬｂと、この光学ガラスＰＬｂの像面側に接合された平凸レンズ形状の第２複屈折板ＤＲ２とで構成してもよい。
【００４３】
また、図３（ｌ）に示すように、物体側から順に、像面側に凹面を向けた平凹レンズ形状の光学ガラスＰＬａと、物体側に凸面を向けた平凸レンズ形状の第１複屈折板ＤＲ１と、この複屈折板ＤＲ１の像面側に接合された平板状の１／４波長板ＲＬと、像面側に凹面を向けた平凹レンズ形状の光学ガラスＰＬｂと、物体側に凸面を向けた平凸レンズ形状の第２複屈折板ＤＲ２とで構成してもよい。
【００４４】
また、図３（ｍ）に示すように、物体側から順に、像面側に凹面を向けた平凹レンズ形状の光学ガラスＰＬａと、物体側に凸面を向けた平凸レンズ形状の第１複屈折板ＤＲ１と、平板状の１／４波長板ＲＬと、像面側に凹面を向けた平凹レンズ形状の光学ガラスＰＬｂと、物体側に凸面を向けた平凸レンズ形状の第２複屈折板ＤＲ２とで構成してもよい。
【００４５】
また、２点分離の光学的ローパスフィルタＦＬ２と同様に、撮像素子Ｃによりセンタ付近に発生するノイズの影響のみを除去するように構成しても良い。例えば、図３（ｎ）に示すように、光学的ローパスフィルタＦＬ４を、物体側から順に、像側の面に球面状の凹部が形成された平板状の光学ガラスＰＬａ及びこの凹部に接合される物体側に凸面を向けた平凸レンズ形状の第１複屈折板ＤＲ１と、光学ガラスＰＬａ及び第１複屈折板ＤＲ１の像側の面に接合される１／４波長板ＲＬと、像側の面に球面状の凹部が形成され、１／４波長板ＲＬの像側の面に接合される平板状の光学ガラスＰＬｃ及びこの凹部に接合される物体側に凸面を向けた平凸レンズ形状の第２複屈折板ＤＲ２と、光学ガラスＰＬｃ及び第２複屈折板ＤＲ１の像側の面に接合される平板状の光学ガラスＰＬｄとから構成することができる。このとき、図３（ｏ）に示すように、第１複屈折板ＤＲ１と１／４波長板ＲＬとの間に平板状の光学ガラスＰＬｂを設けても良いし、最も像側の光学ガラスＰＬｄに変えて、平板状の第２複屈折板ＤＲ２の物体側に球面状の凸部を設けて光学ガラスＰＬｃと接合しても良い。
【００４６】
なお、複屈折板ＤＲ，ＤＲ１，ＤＲ２の形状は、平凸レンズ形状の方が研磨等による製造が容易であるが、両凸レンズ形状にすると屈折力が２つの面に分散できるので収差上有利である。また、メニスカスレンズ形状にするとより収差上有利である。また、４点分離の光学的ローパスフィルタＦＬ４において、第１及び第２複屈折板ＤＲ１，ＤＲ２は、同一の部材・同一の形状にすると、製造が容易になるとともに、コストを下げることができる。また、以上に説明した光学的ローパスフィルタＦＬ２，ＦＬ４の構成は一例を示すものであって、これらに限定されることはない。また、以上の説明では、複屈折板ＤＲ，ＤＲ１，ＤＲ２として複屈折を起こす材料を用いた場合について説明したが、異方性を有する材料や１軸結晶の材料を用いることもできる。
【００４７】
次に、本実施形態に係る光学的ローパスフィルタＦＬ（ＦＬ２，ＦＬ４）を効果的に機能させるための条件について説明する。本実施形態に係る光学的ローパスフィルタは、次に示す条件式（１）を満足することが望ましい。
【００４８】
−１．５＜ΨＧ／ΨＬ＜−０．９          （１）
但し、
ΨＬ：複屈折板の屈折力
ΨＧ：凹レンズの屈折力
【００４９】
図２（ａ）〜（ｄ）、（ｆ）、（ｈ）〜（ｊ）において、ΨＬは、複屈折板ＤＲの屈折力に相当し、ΨＧは、光学ガラスＰＬの屈折力に相当する。
【００５０】
図２（ｅ）及び（ｇ）において、ΨＬは、複屈折板ＤＲの屈折力に相当し、ΨＧは、光学ガラスＰＬａの屈折力に相当する。
【００５１】
図３（ａ）、（ｅ）、（ｆ）、（ｎ）、（ｏ）において、ΨＬは、複屈折板ＤＲ１、ＤＲ２の屈折力に相当し、ΨＧは、光学ガラスＰＬａ、ＰＬｃの屈折力に相当する。
【００５２】
図３（ｂ）及び（ｇ）において、ΨＬは、複屈折板ＤＲ１、ＤＲ２の屈折力に相当し、ΨＧは、光学ガラスＰＬｂ、ＰＬｄの屈折力に相当する。
【００５３】
図３（ｃ）及び（ｈ）において、ΨＬは、複屈折板ＤＲ１、ＤＲ２の屈折力に相当し、ΨＧは、光学ガラスＰＬｂ、ＰＬｃの屈折力に相当する。
【００５４】
図３（ｄ）及び（ｉ）において、ΨＬは、複屈折板ＤＲ１、ＤＲ２の屈折力に相当し、ΨＧは、光学ガラスＰＬａ、ＰＬｄの屈折力に相当する。
【００５５】
図３（ｊ）〜（ｍ）において、ΨＬは、複屈折板ＤＲ１、ＤＲ２の屈折力に相当し、ΨＧは、光学ガラスＰＬａ、ＰＬｂの屈折力に相当する。
【００５６】
条件式（１）は、複屈折板と凹レンズのパワーの関係式を示している。条件式（１）の上限を超えると、複屈折板と凹レンズの合成パワーが凸パワーを持つため、撮影光学系の収差に影響を与えてしまう。また、条件式（１）の下限を超えると、複屈折板と凹レンズの合成パワーが凹パワーを持つため、撮影光学系の収差に影響を与えてしまう。
【００５７】
また、本実施形態に係る光学的ローパスフィルタは、以下の条件式（２）を満足することが望ましい。
【００５８】
０．９＜ＮＧ／ＮＬ＜１．２              （２）
但し、
ＮＬ：複屈折板の屈折率
ＮＧ：凹レンズの屈折率
【００５９】
図２（ａ）〜（ｄ）、（ｆ）、（ｈ）〜（ｊ）において、ＮＬは、複屈折板ＤＲの屈折率に相当し、ＮＧは、光学ガラスＰＬの屈折率に相当する。
【００６０】
図２（ｅ）及び（ｇ）において、ＮＬは、複屈折板ＤＲの屈折率に相当し、ＮＧは、光学ガラスＰＬａの屈折率に相当する。
【００６１】
図３（ａ）、（ｅ）、（ｆ）、（ｎ）、（ｏ）において、ＮＬは、複屈折板ＤＲ１、ＤＲ２の屈折率に相当し、ＮＧは、光学ガラスＰＬａ、ＰＬｃの屈折率に相当する。
【００６２】
図３（ｂ）及び（ｇ）において、ＮＬは、複屈折板ＤＲ１、ＤＲ２の屈折率に相当し、ＮＧは、光学ガラスＰＬｂ、ＰＬｄの屈折率に相当する。
【００６３】
図３（ｃ）及び（ｈ）において、ＮＬは、複屈折板ＤＲ１、ＤＲ２の屈折率に相当し、ＮＧは、光学ガラスＰＬｂ、ＰＬｃの屈折率に相当する。
【００６４】
図３（ｄ）及び（ｉ）において、ＮＬは、複屈折板ＤＲ１、ＤＲ２の屈折率に相当し、ＮＧは、光学ガラスＰＬａ、ＰＬｄの屈折率に相当する。
【００６５】
図３（ｊ）〜（ｍ）において、ＮＬは、複屈折板ＤＲ１、ＤＲ２の屈折率に相当し、ＮＧは、光学ガラスＰＬａ、ＰＬｂの屈折率に相当する。
【００６６】
条件式（２）は、複屈折板と凹レンズとの屈折率の関係を示している。条件式（２）の上限を超えると、接合面の凹パワーが強くなりすぎるため、撮影光学系の収差に影響を与えてしまう。また、条件式（２）の下限を超えると、接合面の凸パワーが強くなりすぎるため、撮影光学系の収差に影響を与えてしまう。
【００６７】
また、本実施形態の光学的ローパスフィルタは、以下の条件式（３）を満足することが望ましい。
【００６８】
Ｄｈ／Ｄ０  ＜  １．０                  （３）
但し、
Ｄ０：複屈折板の中心厚
Ｄｈ：複屈折板の周辺厚み
【００６９】
なお、図２（ｉ）、図３（ｎ），（ｏ）に示すように、センタ付近にだけ複屈折板ＤＲ，ＤＲ１，ＤＲ２が配置されている場合は、周辺部のうち、これらの複屈折版ＤＲ，ＤＲ１，ＤＲ２が設けられていない部分の周辺厚みＤｈは０とする。
【００７０】
条件式（３）は複屈折板ＤＲ，ＤＲ１，ＤＲ２の中心厚と周辺厚みの関係を示すものであり、ノイズと解像力の最適なバランスを得るための条件である。この条件式（１）の上限を超えると、周辺部での光線の分離幅が大きくなるため、解像力の低い周辺性能が劣化するため好ましくない。なお、本実施形態の効果を確実にするために、条件式（１）の上限値を０．８５にすることが好ましい。また、本実施形態の効果をより確実にするために、条件式（１）の上限値を０．７にすることが好ましい。
【実施例】
【００７１】
以下、本願の各実施例を図面に基づいて説明する。なお、以下に示す各実施例においては、図４に示す撮影レンズＳＬと組み合わせた場合について説明する。ここで、撮影レンズＳＬは、物体側から順に、平板状のフィルタＰＦ、両凸レンズＬ１、両凸レンズＬ２と両凹レンズＬ３とを接合した接合レンズ、物体側に凸面を向けた負メニスカスレンズＬ４と両凸レンズＬ５とを接合した接合レンズ、両凹レンズＬ６、物体側に凹面を向けた正メニスカスレンズＬ７と両凹レンズＬ８とを接合した接合レンズ、開口絞りＳ、両凸レンズＬ９、物体側に凹面を向けた負メニスカスレンズＬ１０、及び、物体側に凹面を向けた正メニスカスレンズＬ１１から構成される。
【００７２】
［第１実施例］
まず、第１実施例として、図２（ａ）に示す２点分離の光学的ローパスフィルタＦＬ２を用いた場合の諸元を以下の表１に示す。この第１実施例に係る光学的ローパスフィルタＦＬ２は、表１に示す画素ピッチの撮像素子Ｃに合わせて設計されたものである。この表１において、ｆは撮影レンズＳＬを含む撮影光学系の全系の焦点距離を、２ωは画角を、ＦｎｏはＦナンバーをそれぞれ表している。また、第１欄ｍは光線の進行する方向に沿った各光学面の面番号を、第２欄ｒは各光学面の曲率半径を、第３欄ｄは各光学面から次の光学面までの光軸上の距離（面間隔）を、第４欄νｄ及び第５欄ｎｄはｄ線（λ＝５８７．６ｎｍ）に対するアッベ数及び屈折率を、それぞれ表している。ここで、表１に示す面番号１〜２２は、図４の撮影レンズＳＬに示す番号１〜２２に対応し、面番号２３〜２５は、図２（ａ）の光学的ローパスフィルタＦＬ２に示す番号２３〜２５に対応する。なお、曲率半径0.000は、レンズ面の場合は平面を示し、開口絞りの場合は開口を示す。また、空気の屈折率1.00000は省略してある。
【００７３】
また、以下の表１にはこの第１実施例における条件式（１）〜（３）の値が示されている。ここで、ΨＬは複屈折板ＤＲの屈折力を示し、ΨＧは光学ガラスＰＬ（凹レンズ）の屈折力を示し、ＮＬは複屈折板ＤＲの屈折率を示し、ＮＧは光学ガラスＰＬ（凹レンズ）の屈折率を示し、Ｄ０は複屈折板ＤＲの中心厚（像高Ｙ＝０）を示し、Ｄｈは複屈折板ＤＲの周辺厚み（像高Ｙ＝１５における厚み）を示す。
【００７４】
なお、以下の全ての諸元値において掲載されている焦点距離ｆ、曲率半径ｒ、面間隔ｄその他長さの単位は一般に「ｍｍ」が使われるが、光学系は、比例拡大又は比例縮小しても同等の光学性能が得られるので、これに限られるものではない。また、以上の諸元表の説明は、以降の実施例においても同様である。
【００７５】
（表１）
ｆ＝293.8
２ω＝8.3°
Ｆｎｏ＝2.88
ＣＣＤ画素ピッチ＝11.3μｍ
ｍ      ｒ       ｄ     νｄ    ｎｄ
1      0.000    4.00   64.10  1.51680
2      0.000    0.60
3    173.866   12.00   82.52  1.49782
4   -978.065    0.20
5    133.636   15.00   82.52  1.49782
6   -464.694    5.00   46.54  1.80411
7    332.918   46.30
8     99.554    3.50   45.00  1.74400
9     55.631   15.90   82.52  1.49782
10  -1371.060   29.55
11   -169.969    2.70   64.10  1.51680
12     67.285    4.51
13   -192.927    7.00   33.89  1.80384
14    -43.081    2.80   61.09  1.58913
15     83.887   19.21
16      0.000    1.70
17    194.039    5.80   69.98  1.51860
18    -90.958    3.10
19    -43.595    3.50   28.56  1.79504
20    -64.790    7.60
21   -175.804    6.70   70.41  1.48749
22    -53.035  104.26
23      0.000    1.00   63.88  1.51680
24    152.000    1.60   69.87  1.54431
25      0.000    1.00
ΨＬ＝ 0.0036
ΨＧ＝-0.0034
ＮＬ＝1.54431
ＮＧ＝1.5168
Ｄ０＝1.6
Ｄｈ＝0.06
（１）ΨＧ／ΨＬ＝-0.95
（２）ＮＧ／ＮＬ＝0.98
（３）Ｄｈ／Ｄ０＝0.036
【００７６】
図５（ａ）に、この第１実施例におけるローパスフィルタＦＬ２を撮像装置１００の撮影光学系に用いた場合のスポットダイヤグラムを示し、図５（ｃ）に従来の光学的ローパスフィルタ（平板状の複屈折板を有するフィルタ）を用いた場合のスポットダイヤグラムを示す。図５（ｃ）から分かるように、従来のローパスフィルタではセンタ付近も画面周辺部も一様に光線を分離するため、センタ付近のノイズは低減できても画面周辺部の高周波成分の解像力が低下してしまう。一方、図５（ａ）から明らかなように、この第１実施例に係る光学的ローパスフィルタＦＬ２では、光軸上（Ｙ＝０）では所定の幅を有した２つの像に分離されているため、高周波成分により撮像素子で発生するノイズを低減でき、また、画面周辺部（Ｙ＝１５）では分離幅が小さいため、分離された像が近接しており、高周波成分による解像力の劣化を防止することができる。
【００７７】
また、図６（ａ）に、この第１実施例に係る光学的ローパスフィルタＦＬ２を用いた場合の像高に対するＭＴＦのグラフを示し、図６（ｃ）に、従来のローパスフィルタ（平板状の複屈折板を有するフィルタ）を用いた場合のＭＴＦのグラフを示す。なお、このＭＴＦのグラフにおいて、直線はサジタル像面を示し、波線はメリジオナル像面を示す（以降の実施例においても同様である）。これらのグラフから明らかなように、従来の光学的ローパスフィルタでは、像高が高くなるほど、すなわち、画面周辺部になるほどＭＴＦが低下している。この傾向は特にメリジオナル像面において顕著である。しかし、本第１実施例に係る光学的ローパスフィルタＦＬ２によるとＭＴＦの低下は小さくなり、画面周辺部でも優れた光学性能を有していることがわかる。
【００７８】
［第２実施例］
次に、第２実施例として、第１実施例と同様に図２（ａ）の構成を有する光学的ローパスフィルタＦＬ２を、第１実施例とは画素ピッチの異なる撮像素子Ｃに適用した場合の諸元値を表２に示す。なお、撮影レンズＳＬの諸元は表１に示したものと同様であるため省略する。また、表２に示すｄ２２は、図４に示す撮影レンズＳＬの最も像側の面（第２２面）からこの第２実施例に係る光学的ローパスフィルタＦＬ２の最も物体側の面（第２３面）までの光軸上の距離を示しており、面番号２３〜２５は、図２（ａ）の光学的ローパスフィルタＦＬ２に示す番号２３〜２５に対応する。
【００７９】
（表２）
ｆ＝293.8
２ω＝8.3°
Ｆｎｏ＝2.88
ＣＣＤ画素ピッチ＝2.8μｍ
ｄ２２＝105.03
ｍ      ｒ       ｄ     νｄ    ｎｄ
23      0.000    1.00   63.88  1.51680
24   1600.000    0.40   69.87  1.54431
25      0.000    1.00
ΨＬ＝ 0.0003
ΨＧ＝-0.0003
ＮＬ＝1.54431
ＮＧ＝1.5168
Ｄ０＝0.4
Ｄｈ＝0.25
（１）ΨＧ／ΨＬ＝-1.00
（２）ＮＧ／ＮＬ＝0.98
（３）Ｄｈ／Ｄ０＝0.625
【００８０】
図５（ｂ）に、この第２実施例における光学的ローパスフィルタＦＬ２を、撮像装置１００の撮影光学系に用いた場合のスポットダイヤグラムを示す。この第２実施例に係る光学的ローパスフィルタＦＬ２においても、光軸上（Ｙ＝０）では所定の幅を有した２つの像に分離されているため、高周波成分により撮像素子で発生するノイズを低減でき、また、画面周辺部（Ｙ＝１５）では分離幅が小さいため、分離された像が近接しており、高周波成分による解像力の劣化を防止することができる。また図６（ｂ）に、この第２実施例に係る光学的ローパスフィルタＦＬ２を用いた場合の像高に対するＭＴＦのグラフを示す。第１実施例と同様に、本第２実施例に係る光学的ローパスフィルタＦＬ２によると画面周辺部でも優れた光学性能を有していることがわかる。
【００８１】
［第３実施例］
次に、第３実施例として、図２（ａ）の構成を有する光学的ローパスフィルタＦＬ２の別の実施例を説明する。表３は、第３実施例に係る光学的ローパスフィルタＦＬ２の諸元値である。なお、撮影レンズＳＬの諸元は表１に示したものと同様であるため省略する。また、表３に示すｄ２２は、図４に示す撮影レンズＳＬの最も像側の面（第２２面）からこの第３実施例に係る光学的ローパスフィルタＦＬ２の最も物体側の面（第２３面）までの光軸上の距離を示しており、面番号２３〜２５は、図２（ａ）の光学的ローパスフィルタＦＬ２に示す番号２３〜２５に対応する。
【００８２】
（表３）
ｆ＝293.8
２ω＝8.3°
Ｆｎｏ＝2.88
ＣＣＤ画素ピッチ＝11.3μｍ
ｄ２２＝104.26
ｍ      ｒ       ｄ     νｄ    ｎｄ
23    0.000    1.00    91.31    1.4560
24  152.000    1.60    69.87    1.54431
25    0.000    1.00
ΨＬ＝ 0.0036
ΨＧ＝-0.0030
ＮＬ＝1.54431
ＮＧ＝1.45600
Ｄ０＝1.6
Ｄｈ＝0.06
（１）ΨＧ／ΨＬ＝-0.84
（２）ＮＧ／ＮＬ＝0.94
（３）Ｄｈ／Ｄ０＝0.04
【００８３】
［第４実施例］
次に、第４実施例として、図２（ａ）の構成を有する光学的ローパスフィルタＦＬ２の別の実施例を説明する。表４は、第４実施例に係る光学的ローパスフィルタＦＬ２の諸元値である。なお、撮影レンズＳＬの諸元は表１に示したものと同様であるため省略する。また、表４に示すｄ２２は、図４に示す撮影レンズＳＬの最も像側の面（第２２面）からこの第３実施例に係る光学的ローパスフィルタＦＬ２の最も物体側の面（第２３面）までの光軸上の距離を示しており、面番号２３〜２５は、図２（ａ）の光学的ローパスフィルタＦＬ２に示す番号２３〜２５に対応する。
【００８４】
（表４）
ｆ＝293.8
２ω＝8.3°
Ｆｎｏ＝2.88
ＣＣＤ画素ピッチ＝11.3μｍ
ｄ２２＝104.26
ｍ      ｒ       ｄ     νｄ    ｎｄ
23    0.000    1.00    40.94    1.80610
24  152.000    1.60    69.87    1.54431
25    0.000    1.00
ΨＬ＝ 0.0036
ΨＧ＝-0.0053
ＮＬ＝1.54431
ＮＧ＝1.80610
Ｄ０＝1.6
Ｄｈ＝0.06
（１）ΨＧ／ΨＬ＝-1.48
（２）ＮＧ／ＮＬ＝1.17
（３）Ｄｈ／Ｄ０＝0.04
【００８５】
［第５実施例］
次に、第５実施例として、図２（ｂ）の構成を有する光学的ローパスフィルタＦＬ２の諸元値を表５に示す。なお、撮影レンズＳＬの諸元は表１に示したものと同様であるため省略する。また、表５に示すｄ２２は、図４に示す撮影レンズＳＬの最も像側の面（第２２面）からこの第２実施例に係る光学的ローパスフィルタＦＬ２の最も物体側の面（第２３面）までの光軸上の距離を示しており、面番号２３〜２５は、図２（ｂ）の光学的ローパスフィルタＦＬ２に示す番号２３〜２５に対応する。
【００８６】
（表５）
ｆ＝293.8
２ω＝8.3°
Ｆｎｏ＝2.88
ＣＣＤ画素ピッチ＝11.3μｍ
ｄ２２＝104.26
ｍ      ｒ       ｄ     νｄ      ｎｄ
23  -2800.000    1.00    64.10    1.51680
24    152.000    1.60    69.87    1.54431
25      0.000    1.00
ΨＬ＝ 0.0036
ΨＧ＝-0.0036
ＮＬ＝1.54431
ＮＧ＝1.5168
Ｄ０＝1.6
Ｄｈ＝0.06
（１）ΨＧ／ΨＬ＝-1.00
（２）ＮＧ／ＮＬ＝0.98
（３）Ｄｈ／Ｄ０＝0.04
【００８７】
［第６実施例］
次に、第６実施例として、図２（ｂ）の構成を有する光学的ローパスフィルタＦＬ２の別の実施形態を説明する。表６は、第６実施形態に係る光学的ローパスフィルタＦＬ２の諸元値である。なお、撮影レンズＳＬの諸元は表１に示したものと同様であるため省略する。また、表６に示すｄ２２は、図４に示す撮影レンズＳＬの最も像側の面（第２２面）からこの第６実施例に係る光学的ローパスフィルタＦＬ２の最も物体側の面（第２３面）までの光軸上の距離を示しており、面番号２３〜２５は、図２（ｂ）の光学的ローパスフィルタＦＬ２に示す番号２３〜２５に対応する。
【００８８】
（表６）
ｆ＝293.8
２ω＝8.3°
Ｆｎｏ＝2.88
ＣＣＤ画素ピッチ＝11.3μｍ
ｄ２２＝104.26
ｍ      ｒ       ｄ     νｄ    ｎｄ
23  -700.000    1.00    64.10    1.51680
24   152.000    1.60    69.87    1.54431
25     0.000    1.00
ΨＬ＝ 0.0036
ΨＧ＝-0.0041
ＮＬ＝1.54431
ＮＧ＝1.5168
Ｄ０＝1.6
Ｄｈ＝0.06
（１）ΨＧ／ΨＬ＝-1.16
（２）ＮＧ／ＮＬ＝0.98
（３）Ｄｈ／Ｄ０＝0.04
【００８９】
［第７実施例］
次に、第７実施例として、図２（ｃ）の構成を有する光学的ローパスフィルタＦＬ２の諸元値を表７に示す。なお、撮影レンズＳＬの諸元は表１に示したものと同様であるため省略する。また、表７に示すｄ２２は、図４に示す撮影レンズＳＬの最も像側の面（第２２面）からこの第２実施例に係る光学的ローパスフィルタＦＬ２の最も物体側の面（第２３面）までの光軸上の距離を示しており、面番号２３〜２５は、図２（ｃ）の光学的ローパスフィルタＦＬ２に示す番号２３〜２５に対応する。
【００９０】
（表７）
ｆ＝293.8
２ω＝8.3°
Ｆｎｏ＝2.88
ＣＣＤ画素ピッチ＝11.3μｍ
ｄ２２＝104.26
ｍ      ｒ       ｄ     νｄ    ｎｄ
23  1000.000    1.00    64.10    1.51680
24   152.000    1.60    69.87    1.544310
25     0.000    1.00
ΨＬ＝ 0.0036
ΨＧ＝-0.0029
ＮＬ＝1.54431
ＮＧ＝1.5168
Ｄ０＝1.6
Ｄｈ＝0.06
（１）ΨＧ／ΨＬ＝-0.80
（２）ＮＧ／ＮＬ＝0.98
（３）Ｄｈ／Ｄ０＝0.04
【００９１】
［第８実施例］
次に、第８実施例として、図３（ａ）に示す４点分離の光学的ローパスフィルタＦＬ４を用いた場合の諸元を以下の表８に示す。この第３実施例に係る光学的ローパスフィルタＦＬ４は、表８に示す画素ピッチの撮像素子Ｃに合わせて設計されたものである。なお、撮影レンズＳＬの諸元は表１に示したものと同様であるため省略する。また、表８に示すｄ２２は、図４に示す撮影レンズＳＬの最も像側の面（第２２面）からこの第８実施例に係る光学的ローパスフィルタＦＬ４の最も物体側の面（第２３面）までの光軸上の距離を示しており、面番号２３〜３０は、図３（ａ）の光学的ローパスフィルタＦＬ４に示す番号２３〜３０に対応する。また、この第３実施例において、第１及び第２複屈折板ＤＲ１，ＤＲ２は同一の形状を有しているため、条件式（１）〜（３）の値はこれらに共通する値である。
【００９２】
（表８）
ｆ＝293.8
２ω＝8.3°
Ｆｎｏ＝2.88
ＣＣＤ画素ピッチ＝5.6μｍ
ｄ２２＝101.95
ｍ      ｒ       ｄ     νｄ    ｎｄ
23      0.000    1.00   63.88  1.51680
24    303.000    0.80   69.87  1.54431
25      0.000    1.00   63.88  1.51680
26      0.000    0.50   69.87  1.54431
27      0.000    1.00   63.88  1.51680
28    303.000    0.80   69.87  1.54431
29      0.000    1.00   63.88  1.51680
30      0.000    1.00
ΨＬ＝ 0.0018
ΨＧ＝-0.0017
ＮＬ＝1.54431
ＮＧ＝1.5168
Ｄ０＝0.8
Ｄｈ＝0.03
（１）ΨＧ／ΨＬ＝-0.95
（２）ＮＧ／ＮＬ＝0.98
（３）Ｄｈ／Ｄ０＝0.036
【００９３】
図７（ａ）に、この第８実施例における光学的ローパスフィルタＦＬ４を、撮像装置１００の撮影光学系に用いた場合のスポットダイヤグラムを示し、図７（ｃ）に従来の光学的ローパスフィルタ（平板状の複屈折板を有するフィルタ）を用いた場合のスポットダイヤグラムを示す。この第８実施例に係る光学的ローパスフィルタＦＬ４においても、光軸上（Ｙ＝０）では従来の光学的ローパスフィルタと同様に所定の幅を有した４つの像に分離されているため、高周波成分により撮像素子で発生するノイズを低減でき、また、画面周辺部（Ｙ＝１５）では分離幅が小さいため、分離された像が近接しており、高周波成分による解像力の劣化を防止することができる。また図８（ａ）に、この第８実施例に係る光学的ローパスフィルタＦＬ４を用いた場合の像高に対するＭＴＦのグラフを示し、図８（ｃ）に、従来のローパスフィルタを用いた場合のＭＴＦのグラフを示す。第１及び第２実施例と同様に、本第８実施例に係る光学的ローパスフィルタＦＬ４によると画面周辺部でも優れた光学性能を有していることがわかる。
【００９４】
［第９実施例］
次に、第９実施例として、第８実施例と同様に図３（ａ）の構成を有する光学的ローパスフィルタＦＬ４の諸元値を表４に示す。第８実施例とは、複屈折板ＤＲ１、ＤＲ２の物体側の面（第２４面、第２８面）の曲率半径が異なる。なお、撮影レンズＳＬの諸元は表１に示したものと同様であるため省略する。また、表９に示すｄ２２は、図４に示す撮影レンズＳＬの最も像側の面（第２２面）からこの第９実施例に係る光学的ローパスフィルタＦＬ４の最も物体側の面（第２３面）までの光軸上の距離を示しており、面番号２３〜３０は、図３（ａ）の光学的ローパスフィルタＦＬ４に示す番号２３〜３０に対応する。
【００９５】
（表９）
ｆ＝293.8
２ω＝8.3°
Ｆｎｏ＝2.88
ＣＣＤ画素ピッチ＝5.6μｍ
ｄ２２＝101.95
ｍ      ｒ       ｄ     νｄ    ｎｄ
23      0.000    1.00   63.88  1.51680
24   1300.000    0.80   69.87  1.54431
25      0.000    1.00   63.88  1.51680
26      0.000    0.50   69.87  1.54431
27      0.000    1.00   63.88  1.51680
28   1300.000    0.80   69.87  1.54431
29      0.000    1.00   63.88  1.51680
30      0.000    1.00
ΨＬ＝ 0.0004
ΨＧ＝-0.0004
ＮＬ＝1.54431
ＮＧ＝1.5168
Ｄ０＝0.8
Ｄｈ＝0.62
（１）ΨＧ／ΨＬ＝-1.00
（２）ＮＧ／ＮＬ＝0.98
（３）Ｄｈ／Ｄ０＝0.776
【００９６】
図７（ｂ）に、この第９実施例における光学的ローパスフィルタＦＬ４を、撮像装置１００の撮影光学系に用いた場合のスポットダイヤグラムを示す。この第９実施例に係る光学的ローパスフィルタＦＬ４においても、光軸上（Ｙ＝０）では所定の幅を有した４つの像に分離されているため、高周波成分により撮像素子で発生するノイズを低減でき、また、画面周辺部（Ｙ＝１５）では分離幅が小さいため、分離された像が近接しており、高周波成分による解像力の劣化を防止することができる。また図８（ｂ）に、この第９実施例に係る光学的ローパスフィルタＦＬ４を用いた場合の像高に対するＭＴＦのグラフを示す。第８実施例と同様に、本第９実施例に係る光学的ローパスフィルタＦＬ４によると画面周辺部でも優れた光学性能を有していることがわかる。
【符号の説明】
【００９７】
１００  撮像装置    ＦＬ，ＦＬ２，ＦＬ４  光学的ローパスフィルタ
ＤＲ，ＤＲ１，ＤＲ２  複屈折板
【図１】
2012163675.tif 000003
【図２】
2012163675.tif 000004
【図３】
2012163675.tif 000005
【図４】
2012163675.tif 000006
【図５】
2012163675.tif 000007
【図６】
2012163675.tif 000008
【図７】
2012163675.tif 000009
【図８】
2012163675.tif 000010